(57)【特許請求の範囲】
【請求項１】
コイルの相互誘導作用を利用した電磁誘導結合方式に基づいて通信および電力供給を行う送信機において、前記コイルを駆動可能に並設された複数のＤ級増幅器を有し、前記複数のＤ級増幅器の接続関係を制御信号に応じて変更して、前記複数のＤ級増幅器の並列に動作する数を制御することにより変調処理を行う駆動回路を備えたことを特徴とする送信機。
【請求項２】
複数の符号化方式および複数の変調方式の設定に応じて、前記複数の符号化方式と前記複数の変調方式の組み合わせに対応した前記制御信号を生成する符号変調回路をさらに備えたことを特徴とする請求項１記載の送信機。
【請求項３】
前記制御信号は、指令の伝文を送信する毎に切り替えられることを特徴とする請求項１または２記載の送信機。
【請求項４】
前記複数の変調方式に振幅変調方式および位相変調方式の双方が含まれていることを特徴とする請求項２または３記載の送信機。
【発明の詳細な説明】
【０００１】
【発明の属する技術分野】
この発明は、送信機に関し、詳しくは、送信機が質問器となって、応答器となる相手方通信機との間で、データの送受を接触不要で行う送信機に関する。
質問器（送信機）と応答器（受信機）との通信可能な結合は、コイルの相互誘導作用を利用した電磁誘導結合方式によって両者の接近時に動的に確立されるのが一般的である。
【０００２】
質問器としては、指令を送ってデータの返送等を要求するデータ読取装置やデータアクセス装置が典型的なものであり、応答器としては、受けた指令に応じて応答データを返送するデータキャリア等のデータ記憶体が典型的なものである。このようなデータアクセスに伴う通信に用いられる送信回路について工夫したのである。
【０００３】
【従来の技術】
図９にブロック構成図を示した従来のデータアクセスシステムは、据え付けて用いられることの多いリーダライタ１０（質問器となる送信機）と、携帯便利なようにコイン形やカード形に形成されたデータキャリア５０（応答器となる通信機）とからなり、データキャリア５０をリーダライタ１０に近づけると、非接触状態であっても、電磁誘導結合に基づく交信を行ってリーダライタ１０がデータキャリア５０から所要のデータを読み取ったりするものである。なお、データキャリア５０はリーダライタ１０に対して通信可能なまで接近したときに交信用の電磁誘導結合によってエネルギーの供給をも受けるようになっている。
【０００４】
具体的には、リーダライタ１０は、全体的な制御やデータ演算処理等を担うマイクロプロセッサ２０と、指令Ａを周波数ｆ１の搬送波で送信する送信部３０と、周波数ｆ２で搬送されて来た信号を受け取る受信部４０とからなるものである。
マイクロプロセッサ２０には、指令送出ルーチン２１や、応用ルーチン２２、応答受理ルーチン２３などがインストールされている。
【０００５】
指令送出ルーチン２１は、データキャリア５０に対してデータの読み出しや書き込みを指示する指令を生成し、その指令Ａを送信部３０へ送出する処理を行うものである。
応用ルーチン２２は、各種のアプリケーションに対応した処理を行うものであり、その処理に必要なデータについての読み書きを指令送出ルーチン２１に依頼するとともに、そのようなデータを応答受理ルーチン２３から受け取るようになっている。
応答受理ルーチン２３は、データキャリア５０から返送されてきた応答データを受信部４０経由で受け取る処理を行うものである。
【０００６】
送信部３０は、コイルの相互誘導作用を利用して指令の送信を行うために、符号化回路３１を有して指令ＡをＮＲＺ符号（Ｎｏ  Ｒｅｔｕｒｎ  ｔｏ  Ｚｅｒｏ  ｃｏｄｅ）等に基づく符号化データＢに変換し、変調回路３２を有して周波数ｆ１の搬送波にその符号化データによるＡＳＫ方式（Ａｍｐｌｉｔｕｄｅ  Ｓｈｉｆｔ  Ｋｅｙｉｎｇ）等のデジタル変調を施して変調済み信号Ｃとし、アンプ３３を有して変調済み信号Ｃを増幅し、送信コイル３４（電磁誘導結合子）の直列共振回路を有しこれをアンプ３３で駆動するようになっている。なお、指令Ａの無いときには、周波数ｆ１の搬送波を無変調で送出することで、指令送信に用いられるコイルの相互誘導作用を利用してデータキャリア５０の動作エネルギーとなる電力の供給をも行うものとなっている。
【０００７】
受信部４０は、コイルの相互誘導作用を利用して返送されてきた応答データの受信を行うために、受信コイル４１（電磁誘導結合子）の並列共振回路を有しており、これで電磁変換した信号からバンドパスフィルタ４２で周波数ｆ２を中心とする有効帯域成分を抽出し、これをアンプ４３で増幅して受信信号Ｃを生成する。さらに、受信部４０は、ＢＰＳＫ方式（Ｐｈａｓｅ  Ｓｈｉｆｔ  Ｋｅｙｉｎｇ）等の復調処理を行う復調回路４４を有して受信信号Ｃから復調データを得るととともに、ＮＲＺ符号等に基づく復号処理を行う復号回路４５を有して復調データから応答データの復号データを生成するものである。なお、返信搬送波の周波数ｆ２は、送信搬送波の周波数ｆ１との弁別のために１／２倍や１／４倍の周波数など周波数ｆ１と異なるようになっている。
【０００８】
一方、データキャリア５０は、リーダライタ１０の送信コイル３４及び受信コイル４１に対してコイルの相互誘導作用を利用して電磁誘導結合するための送受信コイル６１（電磁誘導結合子）と、周波数ｆ１で送受信コイル６１に搬送されて来た信号を受け取る受信部７０と、ＥＥＰＲＯＭ等の書き換え可能な不揮発性メモリ８４が付設されたマイクロプロセッサ８０と、応答データを周波数ｆ２の搬送波で返送する送信部９０と、電磁誘導結合によって送受信コイル６１に誘起された誘導起電力からマイクロプロセッサ８０等の動作電力を得る電源部６０とを具備したものである。
【０００９】
受信部７０は、送受信コイル６１で受信したリーダライタ１０からの指令を復元するために、送受信コイル６１の一端に接続されたレシーバ７１を介して受信信号を入力し、ＡＳＫ方式に基づく復調回路７２を有して包絡線検波や二値化の処理を受信信号に施すとともに、ＮＲＺ符号等に基づく復号処理を行う復号回路７３を有して指令を得るものである。復元した指令はマイクロプロセッサ８０へ送出するようになっている。
【００１０】
マイクロプロセッサ８０には、指令受理ルーチン８１や、応答ルーチン８２、返送ルーチン８３などがインストールされている。
指令受理ルーチン８１は、リーダライタ１０から送られてきた指令を受信部７０から受け取る処理を行うものである。
応答ルーチン８２は、指令が読み出しコマンドであれば、それで指定されたメモリ８４の該当アドレスからデータを読み出し、このデータを応答データとした返送処理を返送ルーチン８３に依頼する。また、指令が書き込みコマンドであれば、そのデータをそれで指定されたメモリ８４の該当アドレスに書き込み、書き込み完了を意味する応答データの返送を返送ルーチンに依頼する処理を行うようになっている。
返送ルーチン８３は、応答ルーチン８２の依頼に応じて応答データを送信部９０経由で返送する処理を行うものである。
【００１１】
送信部９０は、送受信コイル６１を介して応答データの返送を行うために、符号化回路９１を有して応答データをＮＲＺ符号に基づく符号化データに変換し、変調回路９２を有して周波数ｆ２の搬送波にその符号化データによるＢＰＳＫ方式のデジタル変調を施して送信信号を生成し、この送信信号でドライバ９３を介して送受信コイル６１の一端を駆動するようになっている。
【００１２】
データキャリア５０の電源部６０は、送受信コイル６１に誘起された交番電流を受け入れて整流する整流器６２と、整流された電流の電圧Ｖｃｃを安定化させるレギュレータ６３と、その出力電流を蓄えておいてマイクロプロセッサ８０等のロジック部へ送り出すコンデンサ６４とからなるものである。
【００１３】
このような構成のデータアクセスシステムを使用した場合、リーダライタ１０及びデータキャリア５０は以下のように動作する。
リーダライタ１０が周波数ｆ１の搬送波を送出しているときにそのリーダライタ１０にデータキャリア５０を近づけると、データキャリア５０では、送受信コイル６１に誘起電流が流れ、電源部６０によって誘起電流から電源電圧Ｖｃｃの電力が生成される。こうしてコイルの相互誘導作用を利用した電磁誘導結合方式によってリーダライタ１０からデータキャリア５０への電力供給がなされると、マイクロプロセッサ８０さらにはデータキャリア５０全体が動作可能な状態となり、さらに、電磁誘導結合方式に基づく両者の通信が可能な状態となる。
【００１４】
この状態で、リーダライタ１０の指令送出ルーチン２１からデータ読み出し等の指令Ａが出ると、それが送信部３０を介してデータキャリア５０へ送信される。この指令送信は、ＮＲＺ方式の符号化とＡＳＫ方式の変調とを組み合わせた送信方式で行われる。
データキャリア５０では、送受信コイル６１や受信部７０によってその指令の受信が行われ、指令がマイクロプロセッサ８０に渡される。この指令受信も、ＡＳＫ方式の復調とＮＲＺ方式の復号とを組み合わせた受信方式で行われる。
こうして、リーダライタ１０からデータキャリア５０への指令の送受が、一対一に対応した通信方式に基づいて行われる。
【００１５】
また、データ読み出しの指令を受けたデータキャリア５０では、マイクロプロセッサ８０によってメモリ８４から該当データが読み出され、送信部９０や送受信コイル６１を介してその応答データがリーダライタ１０へ向けて返送される。この応答送信は、ＮＲＺ方式の符号化とＢＰＳＫ方式の変調とを組み合わせた送信方式で行われる。
リーダライタ１０では、受信部４０によってその応答の受信が行われ、応答データがマイクロプロセッサ２０の応答受理ルーチンによって応用ルーチン２２に届けられると、一回分のデータ読み出し処理が終わる。この応答受信も、ＢＰＳＫ方式の復調とＮＲＺ方式の復号とを組み合わせた受信方式で行われる。
こうして、データキャリア５０からリーダライタ１０への応答データの送受が、やはり一対一に対応した通信方式に基づいて行われる。
【００１６】
このように、従来の電磁誘導結合方式に基づく送信機や受信機は、自己の送信方式と受信方式とが一致するとは限らないが、相手方の受信方式と対応した単一の送信方式と、やはり相手方の送信方式と対応した単一の受信方式とを具えて、予め決められた固定的な通信方式に基づいて交信を行っている。
【００１７】
かかるリーダライタ１０（送信機）の送信部３０について、特にその中でも、符号化データＢ又は指令Ａを入力して変調済み信号Ｃを出力する変調回路３２については、その変調方式として、変調率１００％のＡＳＫ方式でのデジタル変調すなわちＯＯＫ方式（オンオフキーイング）や、変調率の異なる例えば３４％や５０％のＡＳＫ方式、あるいはＢＰＳＫ変調などの何れかが用いられてきた。
【００１８】
ＯＯＫ方式の具体化は、ダイオードを利用してインダクタンスカップリングを断続する回路などによるのが一般的である（図１０（ａ）参照）。
また、３４％などのＡＳＫ方式の具体化は、アンプやアッテネータのゲインを２段や多段に切り換える回路などによるのが一般的である（図１０（ｂ）参照）。
さらに、ＢＰＳＫ方式の具体化は、ダイオードブリッジを利用してインダクタンスカップリングの位相を反転させる回路などによるのが一般的である（図１０（ｃ）参照）。
【００１９】
これらの回路は、いずれも、正弦波状の搬送波を取り扱うアナログ回路であって、アンプ３３よりも前段に配され、その正弦波状の信号をスイッチングすることで変調処理を行っている（図１０における各波形例を参照）。そして、出力される変調済み信号Ｃも正弦波をベースとしたアナログ信号であるから、必然的に後続のアンプ３３には、Ｃ級増幅器やＡ級増幅器などが用いられていた。
【００２０】
【発明が解決しようとする課題】
しかしながら、Ｃ級増幅器等のアナログ回路は、構造が複雑で、バイアス電流の調整等が厄介なうえ、電力損失も大きい。しかも、通信ばかりか電力供給までも電磁誘導結合方式に基づいて行うには、大パワーでの送信を継続的に行う必要があり、高価なパワーアンプの採用を強いられる。このため、このままでは、原価低減や小形化を押し進めるのが困難である。
そこで、送信部におけるパワーアンプやその他のアナログ回路部分を減らして、調整作業や高価な部品の必要性を無くすとともに電力損失も少なくすることが課題となる。
【００２１】
また、質問器（送信機）の通信相手となる応答器（受信機）にも、振幅変調方式に基づいて受信するものや、位相変調方式に基づいて受信するもの等が有る。そして、それらが混在して用いられる状況下では、同一の質問器で両方の応答器に対する処理を済ませたいということも有り得る。かかる場合、一台の送信機に振幅変調用の回路と位相変調用の回路との両方を並設して多機能化を図るのが直截的な対処方法と言える。
しかし、振幅変調方式のアナログ回路と位相変調方式のアナログ回路との混在した変調回路は、かなり複雑になるうえ、付設した切り換え回路等によっても動作特性が思わぬ影響を受けたりして、調整が一段と厄介になってしまう。
そこで、複数の変調方式を実行しうる送信回路を、やはりパワーアンプ等不使用の簡素な構造で具現化することも課題となる。
【００２２】
この発明は、このような課題を解決するためになされたものであり、送信部に対する調整等の不要な送信機を実現することを目的とする。
また、この発明は、多機能であっても調整等の不要な送信機を実現することを目的とする。
【００２３】
【課題を解決するための手段】
このような課題を解決するために発明された本発明の解決手段について、その構成および作用効果を以下に説明する。
【００２４】
本発明の送信機は、コイルの相互誘導作用を利用した電磁誘導結合方式に基づいて通信および電力供給を行う送信機において、前記コイルを駆動可能に並設された複数のＤ級増幅器を有し、前記複数のＤ級増幅器の接続関係を制御信号に応じて変更して、前記複数のＤ級増幅器の並列に動作する数を制御することにより変調処理を行う駆動回路を備えたことを特徴とする。
【００２５】
このように構成された本発明の送信機にあっては、送信用のコイルが、Ｄ級増幅回路等によってデジタル的に駆動される。そして、そのことに伴い、そのＤ級増幅回路等に入力される送信信号に対する変調処理もデジタル的に行なわれる。
これにより、調整等の必要なアナログのＣ級増幅回路等は、不要となる。また、変調回路についても、デジタル化しやすくなるので、やはり調整が必要無く、ＩＣ化による原価低減や小型化も容易となる。
したがって、この発明によれば、送信部に対する調整等の不要な送信機を実現することができる。
【００２６】
また、本発明の送信機において、複数の符号化方式および複数の変調方式の設定に応じて、前記複数の符号化方式と前記複数の変調方式の組み合わせに対応した前記制御信号を生成する符号変調回路をさらに備えることも好ましい。
【００２７】
このように構成された送信機にあっては、送信用のコイルが、変調に際して、個数の異なるＤ級増幅回路によって駆動されることから、大小変化する電流によって駆動されることとなる。
これにより、３４％や５０％といった変調率１００％未満のＡＳＫ方式に対応した振幅変調が行われる。しかも、その変調率が並列動作数に基づいてデジタル的に定まるので、面倒な調整等は必要が無い。
したがって、この発明によれば、１００％以外の振幅変調方式を実行するものであっても送信部に対する調整等の不要な送信機を実現することができる。
【００２９】
また、このように構成された送信機にあっては、通信伝文は、複数の送信方式のうち切り換え可能な何れかの方式で行われることから、通信相手の受信方式に適合した送信方式で送信されることで相手方に正しく受信される。そこで、種々の受信方式に基づく受信機が混在するような環境でも、複数の送信方式の何れかに対応した受信機であればそれとの通信が成立しうるので、送信機の可用性が向上する。また、複数の送信方式のうち一の方式で送信したり他の方式で送信したり随時切り換えることで、送信信号の盗聴等が行われても簡単には解読されないようにもなる。
【００３０】
しかも、そのような多くの機能を発揮するために利用される複数の異なる変調方式については、Ｄ級増幅回路の前段に位置するデジタル回路によってデジタル的に処理される。
これにより、多機能な送信回路を具現化するに際し、パワーアンプを用いる必要が無く、アナログ式の変調回路の混在したものも設けること無く、論理回路や順序回路による簡素な構造で具現化されることとなる。しかも、このようなデジタル回路は、多種多数の機能であっても一体的な回路に纏めやすいので、小型化も容易となる。アナログ回路のような調整も必要が無い。
したがって、この発明によれば、多機能であっても調整等の不要な送信機を実現することができる。
【００３１】
また、本発明の送信機において、前記複数の変調方式に振幅変調方式および位相変調方式の双方が含まれるよう、振幅変調および位相変調のいずれも処理するものであっても良い。
【００３２】
このように構成された通信機にあっては、振幅変調に際しての変調処理ばかりか位相変調に際しての変調処理もデジタル的に処理される。
これにより、振幅変調および位相変調の両方式を実行しうるような多機能化を図るに際して、調整の特に厄介なアナログ式の混在回路は、用いないで済む。
したがって、この発明によれば、多機能であっても調整等が不要となって、従来の特に厄介であった調整等の負担から解放されることとなる。
【００３３】
【発明の実施の形態】
このような解決手段で達成された本発明の送信機について、これを実施するための形態を説明する。
【００３４】
［第１の実施の形態］
データキャリアのような携帯容易な応答器は、電子マネー等の秘匿を要する応用分野や、それほどでなくてもデータ漏洩の好ましくない応用分野などに用いられる場合、データ保護のため、従来から種々の暗号化やスクランブル等の処理が試みられて来たが、その携帯容易性のゆえに、不特定多数の者の使用に供されたり、落としたのを拾われて簡単に第三者に渡ったりすることも多くて、それに対する第三者の物理的なアクセスを阻止するのが困難な状況に陥りやすいという面もある。このため、暗号化だけでデータの安全を確保するのは難しいので、データキャリア等の更なる利用を押し進めるには、例え第三者の物理的なアクセスがあっても、不当なデータの読み出しや、解読しての書き換え、さらには偽造といったことが行えない又は行い難いようにすることが重要となる。
【００３５】
そこで、本発明の第１の実施形態は、上述した解決手段の送信機であって、符号化方式および変調方式の何れか一方または双方の異なる複数の送信方式のうち何れか一つを（伝文毎に又は伝文の途中で）選択して前記送信部に指示する方式選択手段を備えたことを特徴とする。
【００３６】
このような形態の送信機にあっては、指令やデータ等の伝文は、複数の送信方式のうち方式選択手段によって選択された方式で送信部によって送信される。そして、方式選択手段は選択対象を随時変更するが、方式選択手段の選択対象が変わると、その度に送信部による伝文の送信方式も異なるものに変わる。これにより、通信方式が随時変化するので、例え偶発的に一部の通信方式を解明したとしても散発的にしかデータを得ることができないので、データの読み出しや解読が難しくなる。しかも、このような通信ハードウェア主体の手法は、通常ソフトウェア主体である暗号化手法の妨げとなること無く適用しうるので、単独でもデータを保護しうるばかりか、暗号化手法とともに用いられて相互に補強しあいながらデータ保護に貢献することも可能である。したがって、この場合、不当なアクセスからデータを強く保護することができる。
【００３７】
［第２の実施の形態］
このような送信機を質問器に用いた実施形態としては、リーダ等の質問器を固定しておくとともに応答器となるデータキャリア等のデータ記憶体を携帯可能なようにしておいてデータ記憶体を質問器に近づけてデータアクセスを行わせる使い方が多いが、逆に、データ記憶体を移動経路に沿って固定的に点在や列設させておくとともにリーダ等の質問器を移動体に搭載して移動させて次々にデータアクセスを行わせる使い方もある。
いずれの形態にあっても、データ記憶体に対する第三者の物理的なアクセスを阻止しきれない状況となりがちなので、データを不当なアクセスから強く保護することが極めて有益である。
【００３８】
【実施例】
本発明の送信機の一実施例であるリーダライタについて、その具体的な構成を、図面を引用して説明する。図１は、リーダライタ１００（質問器となる送信機）とデータキャリア５００（応答器となる通信機）とからなるデータアクセスシステムの全体ブロック図であり、従来例の図９に対応するものである。また、図２は、リーダライタ１００の送信部３００における送信コイルの駆動回路３３０についての回路図であり、図３は、送信部３００における符号変調回路３０１についてのブロック図およびデコード表である。なお、図示等に際し従来と同一の構成要素には同一の符号を付して示したので、重複する再度の説明は割愛し、以下、従来例との相違点を中心に説明する。
【００３９】
リーダライタ１００は（図１参照）、従来の送信部３０が拡張されて送信部３００となっている点、指令送出ルーチン２１と送信部３００との間に方式選択ルーチン２１０が介挿されている点、従来の受信部４０が拡張されて受信部４００となっている点、応答受理ルーチン２３と受信部４００との間に方式判別ルーチン２３０が介挿されている点で、従来例のリーダライタ１０と相違する。
【００４０】
送信部３００では、従来のアンプ３３に代わって送信コイル３４を駆動する駆動回路３３０に複数のＤ級増幅回路が導入されている。具体的には（図２参照）、ゲートに正電圧を受けるとオンするエンハンスメント型のＮチャンネルＭＯＳ−ＦＥＴ製のスイッチングトランジスタ３３２，３３４，３３６，３３８と、ゲートに正電圧を受けると逆にオフするデプレッション型のＰチャンネルＭＯＳ−ＦＥＴ製のスイッチングトランジスタ３３１，３３３，３３５，３３７と、電流制限用の抵抗Ｒ１〜Ｒ８が実装されている。
【００４１】
トランジスタ３３１は、ゲートがゲート制御信号Ｇ１のラインに接続され、ドレインが電源電圧Ｖｃｃのラインに接続され、ソースが抵抗Ｒ１を介して送信コイル３４の一端に至るラインに接続されて、ゲート制御信号Ｇ１が論理値“０”のときに抵抗Ｒ１を介して電源からの電流を送信コイル３４の共振回路へ流すようになっている。トランジスタ３３３，３３５，３３７も、それぞれ同様に、ゲート制御信号Ｇ２，Ｇ４，Ｇ５が論理値“０”のときに抵抗Ｒ３，Ｒ５，Ｒ７を介して電源からの電流を送信コイル３４の共振回路へ流すようになっている。
【００４２】
トランジスタ３３２は、ゲートがゲート制御信号Ｇ１のラインに接続され、ドレインが接地ラインに接続され、ソースが抵抗Ｒ２を介して送信コイル３４の他端に至るラインに接続されて、ゲート制御信号Ｇ１が論理値“１”のときに抵抗Ｒ２を介して送信コイル３４の共振回路からの電流を接地へ流すようになっている。トランジスタ３３４，３３６，３３８も、それぞれ同様に、ゲート制御信号Ｇ３，Ｇ４，Ｇ６が論理値“１”のときに抵抗Ｒ４，Ｒ６，Ｒ８を介して送信コイル３４の共振回路からの電流を接地へ流すようになっている。
【００４３】
このような接続状態では、一対のトランジスタ３３１，３３６が一のＤ級増幅回路となる。これに対して、もう一対のトランジスタ３３３，３３８は、完全に並列な他のＤ級増幅回路にも、部分的に並列なＤ級増幅回路にもなる。同様に、一対のトランジスタ３３２，３３５が一のＤ級増幅回路となり、これに対しては、もう一対のトランジスタ３３４，３３７は、完全に並列な他のＤ級増幅回路にも、部分的に並列なＤ級増幅回路にもなる。そして、これらの増幅回路がゲート制御信号Ｇ１〜Ｇ６に従ってオンオフ制御されるのである。
これにより、送信部３００は、Ｄ級増幅回路が複数並設され、その並列動作数の増減が可能なものとなっている。
【００４４】
また、送信部３００には（図１参照）、ＮＲＺ方式の符号化回路３１およびＡＳＫ方式の変調回路３２に加えて、新たに符号化回路３１０および変調回路３２０が追加導入されており、そこのところが符号変調回路３０１に拡張されている。符号化回路３１０は、マンチェスタ方式に基づく符号化を行うものであり、同じデータであってもＮＲＺ方式とは異なる符号化データを生成する。さらに、変調回路３２０は、ＡＳＫ３４％方式に基づく変調を行うものであり、基本的な１００％のＡＳＫ方式とはオフ時の振幅が異なるようになっている。
【００４５】
符号変調回路３０１は（図３（ａ）参照）、方式選択ルーチン２１０から受けた選択信号Ｓに応じて４種のうちの１つを選択するセレクタ３０２と、副搬送波を入力してカウントするビットカウンタ３０３と、マイクロプロセッサ２０から受けた指令Ａを保持するレジスタ３０４と、デコーダ３０５とからなっていて、符号化回路３１，３１０及び変調回路３２，３２０が一体的に作り込まれている。これにより、送信部３００は、符号化方式および変調方式の何れか一方または双方の異なる複数の送信方式を実行しうるものとなっている。
【００４６】
デコーダ３０５は（図３（ｂ）参照）、ＡＮＤゲートやＯＲゲートの組合せ、あるいはプログラマブルアレイロジック等からなり、搬送波を入力してその各周期ごとにセレクタ３０２とビットカウンタ３０３とレジスタ３０４とからのデータとの所定の論理演算を行って、ゲート制御信号Ｇ１〜Ｇ６を出力する。すなわち、ＡＳＫ１００％方式，ＡＳＫ５０％方式，ＡＳＫ３４％方式，ＢＰＳＫ方式，ＡＳＫ３４％方式と副搬送波ＢＰＳＫ方式との結合方式のうち何れかの方式が選択Ｓにて指定されると、指令Ａと副搬送波と搬送波とについての論理値“０”，“１”の組合せ各々に対し、予め定められた論理値“０”，“１”の何れかがゲート制御信号Ｇ１〜Ｇ６の値になるのである。
これにより、送信部３００は、変調方式の異なる複数の送信方式を実行しうるものとなっている。
【００４７】
そして、選択信号Ｓに応じて随時、マンチェスタ方式の符号化とＡＳＫ方式の変調とを組み合わせた第１の送信方式と、ＮＲＺ方式の符号化とＡＳＫ方式の変調とを組み合わせた第２の送信方式と、ＮＲＺ方式の符号化とＡＳＫ３４％方式の変調とを組み合わせた第３の送信方式と、マンチェスタ方式の符号化とＡＳＫ３４％方式の変調とを組み合わせた第４の送信方式とのうち何れか一つの送信方式が指令Ａの伝文に対して適用されるのである。なお、第３の送信方式については、ＡＳＫ３４％方式に加えて副搬送波に基づくＢＰＳＫ方式の変調も併せて適用される。
これにより、送信部３００は、変調方式の異なる振幅変調方式および位相変調方式の双方を含んだ複数の送信方式に基づく送信を択一的に切り換えて行うものとなっている。
【００４８】
方式選択ルーチン２１０は、指令送出ルーチン２１からの指令を送信部３００へ引き渡す前に乱数発生を行い、その乱数値に基づいて第１〜第４の送信方式の何れかを指定する選択信号Ｓを生成して、符号変調回路３０１へ送出するという処理を行う。
これにより、方式選択ルーチン２１０（方式選択手段）は、指令の伝文を一つ送信する毎に複数の送信方式のうち何れか一つをランダムに選択し直して送信部３００に指示するものとなっている。
【００４９】
ここで、リーダライタ１００の受信部４００及び方式判別ルーチン２３０の説明より先に、データキャリア５００について述べる。
データキャリア５００は、従来の受信部７０が拡張されて受信部７００となっている点、受信部７００と指令受理ルーチン８１との間に方式判別ルーチンが介挿されている点、従来の送信部９０が拡張されて送信部９００となっている点、送信部９００と返送ルーチン８３との間に方式選択ルーチン８３０が介挿されている点で、従来例のデータキャリア５０と相違する。
【００５０】
データキャリア５００の受信部７００には、ＡＳＫ方式の復調回路７２およびＮＲＺ方式の復号回路７３に加えて、新たに復調回路７２０および復号回路７３０が追加導入されており、そこのところが復調復号回路７０１に拡張されている。
復調回路７２０はＡＳＫ３４％方式に基づく変調を行うものであり、復号回路７３０はマンチェスタ方式に基づく復号を行うものである。
【００５１】
復調復号回路７０１は、レシーバ７１及び復調回路７２に対して新たなレシーバ７１０及び復調回路７２０が並列に設けられ、さらに、復調回路７２の出力に対して復号回路７３及び復号回路７３０が並列に設けられるとともに、復調回路７２０の出力に対して復号回路７３及び復号回路７３０が並列に設けられている。この復号回路７３０はマンチェスタ方式の復号処理を複数並行して行えるよう複数設けられている。また、レシーバ７１０は、復調回路７２０の検波回路と一体化されている。レシーバ７１も同様である。さらに、復号回路７３は、マイクロプロセッサ８０の指令受理ルーチン８１等がＮＲＺ方式のデータをベースとすることから、実体としては、復調回路７２，７２０の出力をそのままマイクロプロセッサ８０へパスさせる配線だけである。
【００５２】
そして、常時、ＡＳＫ方式の復調とマンチェスタ方式の復号とを組み合わせた第１の受信方式と、ＡＳＫ方式の復調とＮＲＺ方式の復号とを組み合わせた第２の受信方式と、ＡＳＫ３４％方式の復調とＮＲＺ方式の復号とを組み合わせた第３の受信方式と、ＡＳＫ３４％方式の復調とマンチェスタ方式の復号とを組み合わせた第４の受信方式との４種の送信方式が受信信号に対して適用されるのである。なお、第２，第３の受信方式には上述のように副搬送波による変調を伴うか否かの相違がある。
これにより、受信部７００は、復調方式および復号方式の何れか一方または双方の異なる複数の受信方式に基づく受信を並行して行うものとなっている。
【００５３】
方式判別ルーチン８１０は、第１〜第４の受信方式で復元されたそれぞれの指令に対して、指令種別に基づく伝文長や、伝文に含められたチェックサム等の誤り訂正符号などが適正条件に合致しているか否かを確認し、正しいと確認された指令を一つ選出して指令受理ルーチン８１へ引き渡す処理を行う。
これにより、方式判別ルーチン８１０（方式判別手段）は、受信部７００の受信結果に対して相手方通信機の送信方式に対応して正しく受信したか否かについて正誤の判別を行うものとなっている。
【００５４】
データキャリア５００の送信部９００には、ＮＲＺ方式の符号化回路９１およびＢＰＳＫ方式の変調回路９２に加えて、新たに符号化回路９１０および変調回路９２０が追加導入されており、そこのところが符号変調回路９０１に拡張されている。符号化回路９１０は、マンチェスタ方式に基づく符号化を行うものである。また、変調回路９２０は、ＢＰＳＫ方式の変調回路９２が拡張されて、基本的なＢＰＳＫ方式の他に副搬送波のＢＰＳＫ方式も行えるようになっている。さらに、図示しない追加の変調回路も設けられており、これは、基本的なＡＳＫ３４％方式の変調の他に、副搬送波のＡＳＫ３４％方式の変調も行えるものである。なお、アクティブタイプのドライバ９３に加えてこれと並列にロードスイッチタイプのドライバ９３０も設けられている。
【００５５】
これらに加えて、この符号変調回路９０１には、符号化回路９１，９１０の何れか一方の出力を選出して変調回路９２０等へ伝えるスイッチ回路と、変調回路９２０等にて副搬送波の変調を適用するかしないかを切り換えるスイッチ回路と、変調回路９２０等の何れか一方の出力を選出してドライバ９３，９３０の何れか一方へ伝えるスイッチ回路なども設けられる。
【００５６】
そして、これらのスイッチ回路が方式選択ルーチン８３０からの選択信号に応じて切り替わることで、マンチェスタ方式の符号化と副搬送波のＡＳＫ３４％方式の変調とを組み合わせた第５の送信方式と、ＮＲＺ方式の符号化と副搬送波のＢＰＳＫ方式の変調とを組み合わせた第６の送信方式と、ＮＲＺ方式の符号化と基本的なＢＰＳＫ方式の変調とを組み合わせた第７の送信方式と、マンチェスタ方式の符号化と基本的なＡＳＫ３４％方式の変調とを組み合わせた第８の送信方式とのうち何れか一つの送信方式が応答データの伝文に対して適用されるのである。
これにより、送信部９００は、符号化方式および変調方式の何れか一方または双方の異なる複数の送信方式に基づく送信を択一的に切り換えて行うものとなっている。
【００５７】
方式選択ルーチン８３０は、方式選択ルーチン２１０と同様に、返送ルーチン８３からの応答データを送信部９００へ引き渡す前に乱数発生を行い、その乱数値に基づいて第５〜第８の送信方式の何れかを指定する選択信号を生成して、符号変調回路９０１の各スイッチ回路へ制御信号として送出する処理を行う。
これにより、方式選択ルーチン８３０（方式選択手段）も、応答データの伝文を一つ送信する毎に複数の送信方式のうち何れか一つをランダムに選択し直して送信部９００に指示するものとなっている。
【００５８】
ここで、リーダライタ１００についての残りの説明に戻る。リーダライタ１００の受信部４００には、ＢＰＳＫ方式の復調回路４４及びＮＲＺ方式の復号回路４５に加えて、新たに復調回路４４０及び復号回路４５０が追加導入されており、そこのところが復調復号回路４０１に拡張されている。復調回路４４０はＡＳＫ３４％方式に基づく変調を行うものであり、復号回路４５０はマンチェスタ方式に基づく復号を行うものである。なお、ロードスイッチタイプのドライバ９３０によって送受信コイル６１が駆動されたときに受信コイル４１ではなく送信コイル３４に発生する電圧を検出する必要があり、そのために、送信コイル３４に接続された包絡線検波回路４２０とその検波済み信号を増幅してもう一つの受信信号を生成し復調復号回路４０１へ送出するアンプ４３０も追加されている。
【００５９】
復調復号回路４０１では、復調回路４４０が２回路並列に設けられるとともに、一方の復調回路４４０の出力に対して復号回路４５が設けられ、他方の復調回路４４０の出力に対して復号回路４５と復号回路４５０とが並列に設けられる。なお、一方の復調回路４４０は他方の復調回路４４０の出力も入力することで、ＢＰＳＫ方式であれば基本的なＢＰＳＫ方式と副搬送波のＢＰＳＫ方式との両方式の復調を纏めて処理するように拡張されている。なお、復号回路４５は、マイクロプロセッサ２０の応答受理ルーチン２３等がＮＲＺ方式のデータをベースとすることから、この場合も実体としては、復調回路４４０の出力をそのままマイクロプロセッサ２０へパスさせる配線だけである。
【００６０】
そして、常時、副搬送波のＡＳＫ３４％方式の復調とマンチェスタ方式の復号とを組み合わせた第５の受信方式による復号データと、副搬送波のＢＰＳＫ方式の復調とＮＲＺ方式の復号とを組み合わせた第６の受信方式および基本的なＢＰＳＫ方式の復調とＮＲＺ方式の復号とを組み合わせた第７の受信方式による復号データと、基本的なＡＳＫ３４％方式の復調とマンチェスタ方式の復号とを組み合わせた第８の受信方式による復号データとが得られるのである。
これにより、受信部４００は、復調方式および復号方式の何れか一方または双方の異なる複数の受信方式に基づく受信を並行して行うものとなっている。
【００６１】
方式判別ルーチン２３０は、第５〜第８の受信方式で復元されたそれぞれの応答データの復号データに対して、やはりデータ種別等に基づく伝文長や、伝文に含められたチェックサム等の誤り訂正符号などが適正条件に合致しているか否かを確認し、正しいと確認されたデータを一つ選出して応答受理ルーチン２３へ引き渡す処理を行う。
これにより、方式判別ルーチン２３０（方式判別手段）も、受信部４００の受信結果に対して相手方通信機の送信方式に対応して正しく受信したか否かについて正誤の判別を行うものとなっている。
【００６２】
このような構成の送信機等を用いたシステムについて、その使用態様及び動作を、図面を引用して説明する。
先きにリーダライタ１００における送信部３００の詳細な動作を説明し、次にリーダライタ１００とデータキャリア５００との交信例を説明する。
【００６３】
先ず、送信部３００の符号変調回路３０１では、選択ＳによってＡＳＫ１００％方式が指定されると、ゲート制御信号Ｇ１〜Ｇ６は、指令Ａのうちの１ビットが“０”のとき、搬送波の値にかかわらず“１１１１１１”となって（図４（ａ）左側参照）、トランジスタ３３１，３３３，３３５，３３７がオフし、トランジスタ３３２，３３４，３３６，３３８がオンして抵抗Ｒ２，Ｒ４，Ｒ６，Ｒ８を介してコイル両端を接地へ接続することから、駆動回路３３０による送信コイル３４への駆動電流は無くて（図４（ｃ），（ｄ）参照）、その波形は平坦になる（図４（ｂ）左側参照）。これに対し、指令Ａのうちの１ビットが“１”のとき、ゲート制御信号Ｇ１〜Ｇ６は、搬送波の値が“０”，“１”変化する度に“０００１１１”と“１１１０００”の値を交互にとって（図４（ａ）右側参照）、トランジスタ３３１，３３３，３３６，３３８とトランジスタ３３２，３３４，３３５，３３７とが交互にオンすることから、駆動回路３３０による送信コイル３４への駆動電流は交互に並列な抵抗Ｒ１，Ｒ２から並列な抵抗Ｒ６，Ｒ８へ流れたり（図４（ｅ）参照）その逆に並列な抵抗Ｒ５，Ｒ７から並列な抵抗Ｒ２，Ｒ４へ流れたりして（図４（ｆ）参照）、その波形は１００％の振幅を持った正弦波状となる（図４（ｂ）右側参照）。こうして、増幅回路の並列動作数が交互に０又は２になるよう変化させられて、ＡＳＫ１００％方式に基づく送信が行われる。
【００６４】
また、選択ＳによってＡＳＫ５０％方式が指定されると、ゲート制御信号Ｇ１〜Ｇ６は、指令Ａのうちの１ビットが“０”のとき、搬送波の値が“０”，“１”変化する度に“０１０１１０”と“１１００１０”の値を交互にとって（図５（ａ）左側参照）、トランジスタ３３１，３３６とトランジスタ３３２，３３５とが交互にオンすることから、駆動回路３３０による送信コイル３４への駆動電流は交互に一の抵抗Ｒ１から一の抵抗Ｒ６へ流れたり（図５（ｃ）参照）その逆に一の抵抗Ｒ５から一の抵抗Ｒ２へ流れたりして（図５（ｄ）参照）、その波形は５０％の振幅を持った正弦波状となる（図５（ｂ）左側参照）。これに対し、指令Ａのうちの１ビットが“１”のとき、ゲート制御信号Ｇ１〜Ｇ６は、搬送波の値が“０”，“１”変化する度に“０００１１１”と“１１１０００”の値を交互にとって（図５（ａ）右側参照）、トランジスタ３３１，３３３，３３６，３３８とトランジスタ３３２，３３４，３３５，３３６とが交互にオンすることから、駆動回路３３０による送信コイル３４への駆動電流は交互に並列な抵抗Ｒ１，Ｒ２から並列な抵抗Ｒ６，Ｒ８へ流れたり（図５（ｅ）参照）その逆に並列な抵抗Ｒ５，Ｒ７から並列な抵抗Ｒ２，Ｒ４へ流れたりして（図５（ｆ）参照）、その波形は１００％の振幅を持った正弦波状となる（図５（ｂ）右側参照）。こうして、増幅回路の並列動作数が交互に１又は２になるよう変化させられて、ＡＳＫ５０％方式に基づく送信が行われる。
【００６５】
さらに、選択ＳによってＡＳＫ３４％方式が指定されると、繰り返しの詳細な説明は割愛するが、ほぼ同様にして、ただし指令Ａが“０”のときの駆動電流が交互に並列の抵抗Ｒ１，Ｒ３から一の抵抗Ｒ６へ流れたり（図６（ｃ）参照）並列の抵抗Ｒ５，Ｒ７から一の抵抗Ｒ２へ流れたりして（図６（ｄ）参照）、３４０％小さい振幅を持った正弦波状となる（図６（ｂ）右側参照）。こうして、増幅回路の並列動作数が交互に１．５又は２になるよう変化させられて、ＡＳＫ３４％方式に基づく送信が行われる。また、選択Ｓの指定が変更されると、交互変化する片側の並列動作数を０と１と１．５との何れかに増減させることで、ＡＳＫ１００％方式，ＡＳＫ５０％方式，ＡＳＫ３４％方式の何れか任意の振幅方式が実行される。
【００６６】
選択ＳによってＢＰＳＫ方式が指定されると、指令Ａのうちの１ビットが“１”のときにはＡＳＫ１００％方式のときと同様になるが（図７（ａ）右側，（ｂ）右側，（ｅ），（ｆ）参照）、指令Ａが“０”のときにはそれを搬送波の半周期分ずらした状態となる（図７（ａ）左側，（ｂ）左側，（ｃ），（ｄ）参照）。
また、ＡＳＫ３４％方式と副搬送波ＢＰＳＫ方式との結合方式が指定されると、副搬送波の周期ごとに、すなわち指令Ａの各１ビットの変化に応じた周期よりも短い周期であって搬送波の周期よりは長い周期となる中間の周期ごとに、ＡＳＫ３４％方式での状態が位相のずれを伴って交互に繰り返される（図８参照、なお図中のＳＣは副搬送波を示す）。
こうして、位相変調の処理も符号変調回路３０１によって実行される。なお、次の交信では、これらの実行可能な変調方式のうち一部のものが用いられる。
【００６７】
次に、リーダライタ１００とデータキャリア５００との交信は以下のようにして行われる。リーダライタ１００にデータキャリア５００が接近して電磁誘導結合方式に基づく通信が可能な状態になると、リーダライタ１００の指令送出ルーチン２１からデータ読み出し等の指令Ａが出される。そうすると、その指令Ａが方式選択ルーチン２１０を介して送信部３００へ送出されるが、それに先行して送信部３００の送信方式についての方式選択ルーチン２１０によるランダムな選択が行われる。そして、送信部３００の送信方式がその選択Ｓに応じて切り替わったところで、指令Ａが送信部３００を介してデータキャリア５００へ送信される。この指令送信は、偶然の結果、例えばマンチェスタ方式の符号化とＡＳＫ方式の変調とを組み合わせた第１の送信方式で行われる。
【００６８】
これに応じて、データキャリア５００では、送受信コイル６１や受信部７００によってその指令の受信が行われ、指令がマイクロプロセッサ８０に渡される。この指令受信は、第１〜第４の受信方式それぞれの並行処理で行われ、それらのうち、相手方であるリーダライタ１００の第１の送信方式に対応したものによって正確な指令の復元がなされる。すなわちＡＳＫ方式の復調とマンチェスタ方式の復号とを組み合わせた第１の送信方式での処理によってリーダライタ１００からの読み出し指令が復元される。そして、その指令が方式判別ルーチン８１０の判別処理によって選出され、指令受理ルーチン８１へ引き渡される。
こうして、リーダライタ１００からデータキャリア５００への指令の送受が、複数の送信方式のうちランダムな選択に応じて切り換えられた方式に基づいて行われる。
【００６９】
また、データ読み出しの指令を受けたデータキャリア５００では、マイクロプロセッサ８０によってメモリ８４から該当データが読み出され、応答データが返送ルーチン８３から返送のために出される。そうすると、その応答データが方式選択ルーチン８３０を介して送信部９００へ送出されるが、それに先行して送信部９００の送信方式についての方式選択ルーチン８３０によるランダムな選択が行われる。そして、送信部９００の送信方式がその選択に応じて切り替わったところで、応答データが送信部９００及び送受信コイル６１を介してリーダライタ１００へ返送される。この応答送信は、やはり偶然の結果、例えばマンチェスタ方式の符号化と副搬送波のＡＳＫ３４％方式の変調とを組み合わせた第５の送信方式で行われる。
【００７０】
さらに、リーダライタ１００では、受信部４００によってその応答の受信が行われ、応答データがマイクロプロセッサ２０に渡される。この応答受信は、第５〜第８の受信方式それぞれの並行処理で行われ、それらのうち、相手方であるデータキャリア５００の第５の送信方式に対応したものによって正確な応答データの復元がなされる。すなわち副搬送波のＡＳＫ３４％方式の復調とマンチェスタ方式の復号とを組み合わせた第５の受信方式での処理によってデータキャリア５００からの応答データが復元される。そして、そのデータが、方式判別ルーチン２３０の判別処理によって選出され、応答受理ルーチン２３を介して応用ルーチン２２に届けられると、一回分のデータ読み出し処理が終わる。
こうして、データキャリア５００からリーダライタ１００への応答データの送受も、やはり複数の送信方式のうちランダムな選択に応じて切り換えられた方式に基づいて行われる。
【００７１】
また、繰り返しとなる詳細な説明は割愛するが、その後のリーダライタ１００からデータキャリア５００へのデータ書き込み指令の送受は、複数の送信方式のうちランダムな選択に応じて、例えばＮＲＺ方式の符号化とＡＳＫ３４％方式の変調とを組み合わせた第２の送信方式に基づいて行われるとともに、それに続くデータキャリア５００からリーダライタ１００への応答の送受も、やはり複数の送信方式のうちランダムな選択に応じて、例えばＮＲＺ方式の符号化と副搬送波のＢＰＳＫ方式の変調とを組み合わせた第６の送信方式に基づいて行われる。さらに、リーダライタ１００からデータキャリア５００へのセキュリティ関連の指令なども、ランダムな選択に応じて例えばＡＳＫ３４％方式の復調とＮＲＺ方式の復号とを組み合わせた第３の送信方式に基づいて行われる。
【００７２】
このようにして、これらのデータアクセスシステムにおける交信では指令や応答の各伝文送受ごとに通信方式がランダムに変更されるのであるが、その具現化に際して上述したように多くの機能を符号変調回路３０１へ一体的に凝縮させるとともに、駆動回路３３０にＤ級増幅回路を採用したので、高効率で小形のシステムとなっている。
【００７３】
なお、この実施例では、抵抗Ｒ１〜Ｒ８が同一の抵抗値を持つ場合について説明したが、それぞれの抵抗値は変更してもよく、その抵抗比等を適宜設定することで容易に変調率０％〜１００％の振幅変調を具体化することができる。
【００７４】
【発明の効果】
以上の説明から明らかなように、本発明の第１の解決手段の送信機にあっては、Ｃ級増幅回路等を不要として変調処理もデジタル化しやすいようにしたことにより、送信部に対する調整等の不要な送信機を実現することができたという有利な効果が有る。
【００７５】
また、本発明の第２の解決手段の送信機にあっては、変調率が並列動作数に基づいてデジタル的に定まるようにしたことにより、１００％以外の振幅変調方式についても送信部に対する調整等を不要とすることができたという有利な効果を奏する。
【００７６】
さらに、本発明の第３の解決手段の送信機にあっては、複数の変調方式を実行しうるようにしたことにより、各種受信機に適応したり不正解読等を防いだりできるようになった。しかも、それらの変調方式をＤ級増幅回路の前でデジタル処理するようにしたことにより、多機能であっても調整等の不要な送信機を実現することができたという有利な効果が有る。
【００７７】
また、本発明の第４の解決手段の送信機にあっては、アナログ式の混在回路を用いないで済むようにしたことにより、従来の特に厄介であった調整等の負担から解放されたという有利な効果を奏する。
【図面の簡単な説明】
【図１】本発明の送信機を用いた通信システムの一実施例について、全体ブロック図である。
【図２】送信コイルを駆動する回路である。
【図３】変調回路である。
【図４】ＡＳＫ方式で振幅１００％変調したときの波形例である。
【図５】ＡＳＫ方式で振幅５０％変調したときの波形例である。
【図６】ＡＳＫ方式で振幅３４％変調したときの波形例である。
【図７】ＢＰＳＫ方式で位相変調したときの波形例である。
【図８】ＡＳＫ３４％方式に副搬送波のＢＰＳＫ方式を組み合わせたときの波形例である。
【図９】従来のリーダライタ（送信機）およびデータキャリアからなる通信システムについての全体ブロック図である。
【図１０】変調回路である。
【符号の説明】
１０  リーダライタ（データ読取装置、質問器、通信機、送信機）
２０  マイクロプロセッサ（演算制御部）
２１  指令送出ルーチン
２２  応用ルーチン
２３  応答受理ルーチン
３０  送信部
３１  符号化回路（ＮＲＺ方式、送信部）
３２  変調回路（ＡＳＫ方式、送信部）
３３  アンプ（送信コイルの駆動回路、送信部）
３４  送信コイル（電磁誘導結合子、送信部）
４０  受信部
４１  受信コイル（電磁誘導結合子、受信部）
４２  バンドパスフィルタ（受信部）
４３  アンプ（受信部）
４４  復調回路（ＢＰＳＫ方式、受信部）
４５  復号回路（ＮＲＺ方式、受信部）
５０  データキャリア（データ記憶体、応答器、通信機、受信機）
６０  電源部
６１  送受信コイル（電磁誘導結合子）
６２  整流器（電源回路入力段、電源部）
６３  レギュレータ（定電圧回路、電源部）
６４  コンデンサ（電源回路出力段、電源部）
７０  受信部
７１  レシーバ（コイル電圧応動手段、受信部）
７２  復調回路（ＡＳＫ方式、受信部）
７３  復号回路（ＮＲＺ方式、受信部）
８０  マイクロプロセッサ（演算制御部）
８１  指令受理ルーチン（指令を受ける手段）
８２  応答ルーチン（応答データを生成する手段）
８３  返送ルーチン（応答データを返送する手段）
８４  メモリ（応答データ等を保持する手段）
９０  送信部
９１  符号化回路（ＮＲＺ方式、送信部）
９２  変調回路（ＢＰＳＫ方式、送信部）
９３  ドライバ（アクティブタイプのコイル駆動手段、送信部）
１００  リーダライタ（データ読取装置、質問器、通信機、受信機）
２１０  方式選択ルーチン（通信方式選択手段）
２３０  方式判別ルーチン（通信方式判別手段）
３００  送信部
３０１  符号変調回路（４方式、送信方式切換手段、送信部）
３０２  セレクタ（符号変調回路、送信部）
３０３  ビットカウンタ（符号変調回路、送信部）
３０４  レジスタ（符号変調回路、送信部）
３０５  デコーダ（符号変調回路、送信部）
３１０  符号化回路（マンチェスタ方式、送信部）
３２０  変調回路（ＡＳＫ３４％方式、サブキャリアＢＰＳＫ方式、送信部）
３３０  駆動回路（送信コイルの駆動回路、送信部）
３３１〜３３８  トランジスタ（Ｄ級増幅回路）
Ｒ１〜Ｒ８      抵抗（Ｄ級増幅回路）
４００  受信部
４０１  復調復号回路（４方式、受信方式切換手段、受信部）
４２０  検波回路（受信部）
４３０  アンプ（受信部）
４４０  復調回路（ＢＰＳＫ方式、サブキャリアＢＰＳＫ方式、受信部）
４５０  復号回路（マンチェスタ方式、受信部）
５００  データキャリア（データ記憶体、応答器、通信機、受信機）
７００  受信部
７０１  復調復号回路（４方式、受信方式切換手段、受信部）
７１０  レシーバ（コイル電圧応動手段、受信部）
７２０  復調回路（ＡＳＫ３４％方式、サブキャリアＢＰＳＫ方式、受信部）
７３０  復号回路（マンチェスタ方式、受信部）
８１０  方式判別ルーチン（通信方式判別手段）
８３０  方式選択ルーチン（通信方式選択手段）
９００  送信部
９０１  符号変調回路（４方式、送信方式切換手段、送信部）
９１０  符号化回路（マンチェスタ方式、送信部）
９２０  変調回路（ＢＰＳＫ方式、サブキャリアＢＰＳＫ方式、送信部）
９３０  ドライバ（ロードスイッチタイプのコイル駆動手段、送信部）
【図１】
0003618207.tif 000002
【図２】
0003618207.tif 000003
【図３】
0003618207.tif 000004
【図４】
0003618207.tif 000005
【図５】
0003618207.tif 000006
【図６】
0003618207.tif 000007
【図７】
0003618207.tif 000008
【図８】
0003618207.tif 000009
【図９】
0003618207.tif 000010
【図１０】
0003618207.tif 000011